(57)【要約】【課題】植毛の観点から製造コストの低減を可能とする洗浄用ブラシを提供する。【解決手段】仮想洗浄面９は、基準植毛面と平行であって、基準植毛面から下方に離隔して配置された平面である。基準植毛面、第１から第４下部植毛面、並びに第１および第２側部植毛面のそれぞれに植毛された各ブラシ束４の先端位置４ａが、仮想洗浄面９の付近となるように、第１から第４下部傾斜角、並びに第１および第２側部傾斜角と、第１から第４下方距離１４、２４、３４、４４、並びに第１および第２側方距離７４、８４と、を設定する。【選択図】図７
2019042023.tif 000002
【特許請求の範囲】
【請求項１】
複数のブラシ束が植毛部に植毛された洗浄用ブラシであって、
(a) 前記植毛部の下側に形成されており、一方向に延伸する基準植毛面と、
(b) 各々が、前記植毛部の下側に形成されるとともに、前記基準植毛面を挟むように前記基準植毛面の延伸方向に沿って延びる一対の第１および第２下部植毛面と、
を備え、
各ブラシ束の長さは、同程度とされており、
(1) 前記延伸方向と垂直であって、前記基準植毛面、並びに第１および第２下部植毛面のそれぞれと交差する断面が、第１断面と、
(2) 前記第１断面および前記基準植毛面が交差することによって前記第１断面に表れる前記基準植毛面の形状が、第１基準断面線と、
(3) 前記第１基準断面線を含む仮想的な直線が、第１仮想基準線と、
(4) 前記第１断面および前記第１下部植毛面が交差することによって前記第１断面に表れる前記第１下部植毛面の形状が、第１下部断面線と、
(5) 前記第１断面および前記第２下部植毛面が交差することによって前記第１断面に表れる前記第２下部植毛面の形状が、第２下部断面線と、
(6) 前記第１基準断面線に対して前記第１下部断面線のなす角が、第１下部傾斜角と、
(7) 前記第１基準断面線に対して前記第２下部断面線のなす角が、第２下部傾斜角と、
(8) 前記第１下部断面線の中点と前記第１仮想基準線との間の距離が、第１下方距離と、
(9) 前記第２下部断面線の中点と前記第１仮想基準線との間の距離が、第２下方距離と、
(10)  前記基準植毛面と平行であって、前記基準植毛面から下方に離隔して配置された仮想的な平面が、仮想洗浄面と、
それぞれ定義される場合、
(i) 前記第１および第２下部断面線の中点のそれぞれは、前記第１仮想基準線より下側に配置され、
(ii)  前記第１および第２下部傾斜角は、互いに異なる符号とされ、
(iii) 前記第１および第２下部傾斜角のそれぞれの絶対値は、同程度とされ、かつ、
(iv)  前記第１および第２下方距離のそれぞれは、同程度とされた上で、
(v) 前記基準植毛面、並びに前記第１および第２下部植毛面のそれぞれに植毛された各ブラシ束の先端位置が、前記仮想洗浄面の付近となるように、前記第１および第２下部傾斜角と、前記第１および第２下方距離と、が設定されていることを特徴とする洗浄用ブラシ。
【請求項２】
請求項１に記載の洗浄用ブラシにおいて、
(c) 各々が、前記植毛部の下側に形成されるとともに、前記一対の第１および第２下部植毛面を挟むように前記延伸方向に沿って延びる一対の第３および第４下部植毛面、
をさらに備え、
前記第３下部植毛面は、前記基準植毛面を挟んで前記第２下部植毛面と逆側に形成されるとともに、
前記第４下部植毛面は、前記基準植毛面を挟んで前記第１下部植毛面と逆側に形成されており、
前記第１断面は、さらに前記第３および第４下部植毛面のそれぞれと交差し、
(11)  前記第１断面および前記第３下部植毛面が交差することによって前記第１断面に表れる前記第３下部植毛面の形状が、第３下部断面線と、
(12)  前記第１断面および前記第４下部植毛面が交差することによって前記第１断面に表れる前記第４下部植毛面の形状が、第４下部断面線と、
(13)  前記第１基準断面線に対して前記第３下部断面線のなす角が、第３下部傾斜角と、
(14)  前記第１基準断面線に対して前記第４下部断面線のなす角が、第４下部傾斜角と、
(15)  前記第３下部断面線の中点と前記第１仮想基準線との間の距離が、第３下方距離と、
(16)  前記第４下部断面線の中点と前記第１仮想基準線との間の距離が、第４下方距離と、
さらに定義される場合、
(i) 前記第１から第４下部断面線の中点のそれぞれは、前記第１仮想基準線より下側に配置され、
(ii)  前記第１および第２下部傾斜角は、互いに異なる符号とされ、
(iii) 前記第３および第４下部傾斜角は、互いに異なる符号とされ、
(iv)  前記第１および第２下部傾斜角のそれぞれの絶対値は、同程度とされ、
(v) 前記第３および第４下部傾斜角のそれぞれの絶対値は、同程度とされ、
(vi)  前記第１および第２下方距離のそれぞれは、同程度とされ、
(vii) 前記第３および第４下方距離のそれぞれは、同程度とされ、
(viii)  前記第３および第４下方距離のそれぞれは、前記第１および第２下方距離のそれぞれより長くされ、かつ、
(ix)  前記第３および第４下部傾斜角のそれぞれの絶対値は、前記第１および第２下部傾斜角のそれぞれの絶対値より大きくされた上で、
(x) 前記基準植毛面、並びに前記第１から第４下部植毛面のそれぞれに植毛された各ブラシ束の先端位置が、前記仮想洗浄面の付近となるように、前記第１から第４下部傾斜角と、前記第１から第４下方距離と、が設定されていることを特徴とする洗浄用ブラシ。
【請求項３】
請求項１に記載の洗浄用ブラシにおいて、
(d) 各々が、前記植毛部の側面に形成されるとともに、前記一対の第１および第２下部植毛面を挟むように前記延伸方向に沿って延びる一対の第１および第２側部植毛面、
をさらに備え、
前記第１側部植毛面は、前記基準植毛面を挟んで前記第２下部植毛面と逆側に形成されるとともに、
前記第２側部植毛面は、前記基準植毛面を挟んで前記第１下部植毛面と逆側に形成されており、
前記第１断面は、さらに前記第１および第２側部植毛面のそれぞれと交差し、
(17)  前記第１断面および前記第１側部植毛面が交差することによって前記第１断面に表れる前記第１側部植毛面の形状が、第１側部断面線と、
(18)  前記第１断面および前記第２側部植毛面が交差することによって前記第１断面に表れる前記第２側部植毛面の形状が、第２側部断面線と、
(19)  前記第１基準断面線に対して前記第１側部断面線のなす角が、第１側部傾斜角と、
(20)  前記第１基準断面線に対して前記第２側部断面線のなす角が、第２側部傾斜角と、
(21)  前記第１側部断面線の中点と前記第１仮想基準線との間の距離が、第１側方距離と、
(22)  前記第２側部断面線の中点と前記第１仮想基準線との間の距離が、第２側方距離と、
さらに定義される場合、
(i) 前記第１および第２下部断面線、並びに前記第１および第２側部断面線の中点のそれぞれは、前記第１仮想基準線より下側に配置され、
(ii)  前記第１および第２下部傾斜角は、互いに異なる符号とされ、
(iii) 前記第１および第２側部傾斜角は、互いに異なる符号とされ、
(iv)  前記第１および第２下部傾斜角のそれぞれの絶対値は、同程度とされ、
(v) 前記第１および第２側部傾斜角のそれぞれの絶対値は、同程度とされ、
(vi)  前記第１および第２下方距離のそれぞれは、同程度とされ、
(vii) 前記第１および第２側方距離のそれぞれは、同程度とされ、
(viii)  前記第１および第２側方距離のそれぞれは、前記第１および第２下方距離のそれぞれより長くされ、かつ、
(ix)  前記第１および第２側部傾斜角のそれぞれの絶対値は、前記第１および第２下部傾斜角のそれぞれの絶対値より大きくされた上で、
(x) 前記基準植毛面、前記第１および第２下部植毛面、並びに前記第１および第２側部植毛面のそれぞれに植毛された各ブラシ束の先端位置が、前記仮想洗浄面の付近となるように、前記第１および第２下部傾斜角、並びに前記第１および第２側部傾斜角と、前記第１および第２下方距離、並びに前記第１および第２側方距離と、が設定されていることを特徴とする洗浄用ブラシ。
【請求項４】
請求項１に記載の洗浄用ブラシにおいて、
(c) 各々が、前記植毛部の下側に形成されるとともに、前記一対の第１および第２下部植毛面を挟むように前記延伸方向に沿って延びる一対の第３および第４下部植毛面と、
(d) 各々が、前記植毛部の側面に形成されるとともに、前記一対の第３および第４下部植毛面を挟むように前記延伸方向に沿って延びる一対の第１および第２側部植毛面と、
をさらに備え、
前記第３下部植毛面および前記第１側部植毛面のそれぞれは、前記基準植毛面を挟んで前記第２下部植毛面と逆側に形成されるとともに、
前記第４下部植毛面および前記第２側部植毛面のそれぞれは、前記基準植毛面を挟んで前記第１下部植毛面と逆側に形成されており、
前記第１断面は、さらに前記第３および第４下部植毛面、並びに前記第１および第２側部植毛面のそれぞれと交差し、
(11)  前記第１断面および前記第３下部植毛面が交差することによって前記第１断面に表れる前記第３下部植毛面の形状が、第３下部断面線と、
(12)  前記第１断面および前記第４下部植毛面が交差することによって前記第１断面に表れる前記第４下部植毛面の形状が、第４下部断面線と、
(13)  前記第１基準断面線に対して前記第３下部断面線のなす角が、第３下部傾斜角と、
(14)  前記第１基準断面線に対して前記第４下部断面線のなす角が、第４下部傾斜角と、
(15)  前記第３下部断面線の中点と前記第１仮想基準線との間の距離が、第３下方距離と、
(16)  前記第４下部断面線の中点と前記第１仮想基準線との間の距離が、第４下方距離と、
(17)  前記第１断面および前記第１側部植毛面が交差することによって前記第１断面に表れる前記第１側部植毛面の形状が、第１側部断面線と、
(18)  前記第１断面および前記第２側部植毛面が交差することによって前記第１断面に表れる前記第２側部植毛面の形状が、第２側部断面線と、
(19)  前記第１基準断面線に対して前記第１側部断面線のなす角が、第１側部傾斜角と、
(20)  前記第１基準断面線に対して前記第２側部断面線のなす角が、第２側部傾斜角と、
(21)  前記第１側部断面線の中点と前記第１仮想基準線との間の距離が、第１側方距離と、
(22)  前記第２側部断面線の中点と前記第１仮想基準線との間の距離が、第２側方距離と、
さらに定義される場合、
(i) 前記第１から第４下部断面線、並びに前記第１および第２側部断面線の中点のそれぞれは、前記第１仮想基準線より下側に配置され、
(ii)  前記第１および第２下部傾斜角は、互いに異なる符号とされ、
(iii) 前記第３および第４下部傾斜角は、互いに異なる符号とされ、
(iv)  前記第１および第２側部傾斜角は、互いに異なる符号とされ、
(v) 前記第１および第２下部傾斜角のそれぞれの絶対値は、同程度とされ、
(vi)  前記第３および第４下部傾斜角のそれぞれの絶対値は、同程度とされ、
(vii) 前記第１および第２側部傾斜角のそれぞれの絶対値は、同程度とされ、
(viii)  前記第１および第２下方距離のそれぞれは、同程度とされ、
(ix)  前記第３および第４下方距離のそれぞれは、同程度とされ、
(x) 前記第１および第２側方距離のそれぞれは、同程度とされ、
(xi)  前記第３および第４下方距離のそれぞれは、前記第１および第２下方距離のそれぞれより長くされ、
(xii) 前記第１および第２側方距離のそれぞれは、前記第３および第４下方距離のそれぞれより長くされ、
(xiii)  前記第３および第４下部傾斜角のそれぞれの絶対値は、前記第１および第２下部傾斜角のそれぞれの絶対値より大きくされ、かつ、
(xiv) 前記第１および第２側部傾斜角のそれぞれの絶対値は、前記第３および第４下部傾斜角のそれぞれの絶対値より大きくされた上で、
(xv)  前記基準植毛面、前記第１から第４下部植毛面、並びに前記第１および第２側部植毛面のそれぞれに植毛された各ブラシ束の先端位置が、前記仮想洗浄面の付近となるように、前記第１から第４下部傾斜角、並びに前記第１および第２側部傾斜角と、前記第１から第４下方距離、並びに前記第１および第２側方距離と、が設定されていることを特徴とする洗浄用ブラシ。
【請求項５】
請求項１から請求項４のいずれかに記載の洗浄用ブラシにおいて、
(e) 前記植毛部の下側に形成されており、前記第１および第２下部植毛面を接続する接続植毛面、
をさらに備え、
前記接続植毛面は、
(e-1) 前記第１下部植毛面と連結された第１連結面と、
(e-2) 前記第１連結面と連結されており、前記延伸方向と異なった第１進行方向に沿って延びる第１延長面と、
(e-3) 前記第２下部植毛面と連結された第２連結面と、
(e-4) 前記第２連結面と連結されており、前記延伸方向と異なった第２進行方向に沿って延びる第２延長面と、
(e-5) 前記第１および第２延長面のそれぞれと連結された第３連結面と、
を有し、
(23)  前記基準植毛面または前記基準植毛面を前記延伸方向に延長させた平面が、仮想基準面と、
(24)  前記第１進行方向と垂直であって、前記基準植毛面および前記第１延長面のそれぞれと交差する断面が、第２断面と、
(25)  前記第２進行方向と垂直であって、前記基準植毛面および前記第２延長面のそれぞれと交差する断面が、第３断面と、
(26)  前記第２断面および前記仮想基準面が交差することによって前記第２断面に表れる前記仮想基準面の形状が、第２基準断面線と、
(27)  前記第３断面および前記仮想基準面が交差することによって前記第３断面に表れる前記仮想基準面の形状が、第３基準断面線と、
(28)  前記第２基準断面線を含む仮想的な直線が、第２仮想基準線と、
(29)  前記第３基準断面線を含む仮想的な直線が、第３仮想基準線と、
(30)  前記第２断面および前記第１延長面が交差することによって前記第２断面に表れる前記第１延長面の形状が、第１接合断面線と、
(31)  前記第３断面および前記第２延長面が交差することによって前記第３断面に表れる前記第２延長面の形状が、第２接合断面線と、
(32)  前記第２基準断面線に対して前記第１接合断面線のなす角が、第１接合傾斜角と、
(33)  前記第３基準断面線に対して前記第２接合断面線のなす角が、第２接合傾斜角と、
(34)  前記第１接合断面線の中点と前記第２仮想基準線との間の距離が、第１接続距離と、
(35)  前記第２接合断面線の中点と前記第３仮想基準線との間の距離が、第２接続距離と、
さらに定義される場合、
(i) 前記第１および第２下部断面線の中点のそれぞれは、前記第１仮想基準線より下側に配置され、
(ii)  前記第１接合断面線の中点は、前記第２仮想基準線より下側に配置され、
(iii) 前記第２接合断面線の中点は、前記第３仮想基準線より下側に配置され、
(iv)  前記第１および第２下部傾斜角は、互いに異なる符号とされ、
(v) 前記第１および第２接合傾斜角は、互いに異なる符号とされ、
(vi)  前記第１下部傾斜角および第１接合傾斜角は、同一符号とされ、
(vii)  前記第２下部傾斜角および第２接合傾斜角は、同一符号とされ、
(viii)  前記第１および第２下方距離、並びに前記第１および第２接続距離のそれぞれは、同程度とされ、
(ix)  前記第１および第２下部傾斜角、並びに前記第１および第２接合傾斜角のそれぞれの絶対値は、同程度とされた上で、
(x) 前記基準植毛面、前記第１および第２下部植毛面、並びに前記第１および第２延長面のそれぞれに植毛された各ブラシ束の先端位置が、前記仮想洗浄面の付近となるように、前記第１および第２下部傾斜角、並びに前記第１および第２接合傾斜角と、前記第１および第２下方距離、並びに前記第１および第２接続距離と、が設定されていることを特徴とする洗浄用ブラシ。
【発明の詳細な説明】
【技術分野】
【０００１】
本発明は、洗浄用ブラシに関する。
【背景技術】
【０００２】
従来、ブラシ基体植毛面に全毛先面が平坦となるようにブラシ毛を植毛することが知られている（例えば、特許文献１）。
【先行技術文献】
【特許文献】
【０００３】
【特許文献１】実公平０２−０２１９４９号公報
【発明の概要】
【発明が解決しようとする課題】
【０００４】
しかし、特許文献１において、全毛先面を平坦にするためには、各部に植毛されるブラシ毛の長さを調整する、または、ブラシ毛を切り揃えることが必要となる。その結果、ブラシの製造コストが増大するという問題が生ずる。
【０００５】
そこで、本発明では、植毛の観点から製造コストの低減を可能とする洗浄用ブラシを提供することを目的とする。
【課題を解決するための手段】
【０００６】
上記の課題を解決するため、請求項１の発明は、複数のブラシ束が植毛部に植毛された洗浄用ブラシであって、前記植毛部の下側に形成されており、一方向に延伸する基準植毛面と、各々が、前記植毛部の下側に形成されるとともに、前記基準植毛面を挟むように前記基準植毛面の延伸方向に沿って延びる一対の第１および第２下部植毛面とを備え、各ブラシ束の長さは、同程度とされており、前記延伸方向と垂直であって、前記基準植毛面、並びに第１および第２下部植毛面のそれぞれと交差する断面が、第１断面と、前記第１断面および前記基準植毛面が交差することによって前記第１断面に表れる前記基準植毛面の形状が、第１基準断面線と、前記第１基準断面線を含む仮想的な直線が、第１仮想基準線と、前記第１断面および前記第１下部植毛面が交差することによって前記第１断面に表れる前記第１下部植毛面の形状が、第１下部断面線と、前記第１断面および前記第２下部植毛面が交差することによって前記第１断面に表れる前記第２下部植毛面の形状が、第２下部断面線と、前記第１基準断面線に対して前記第１下部断面線のなす角が、第１下部傾斜角と、前記第１基準断面線に対して前記第２下部断面線のなす角が、第２下部傾斜角と、前記第１下部断面線の中点と前記第１仮想基準線との間の距離が、第１下方距離と、前記第２下部断面線の中点と前記第１仮想基準線との間の距離が、第２下方距離と、前記基準植毛面と平行であって、前記基準植毛面から下方に離隔して配置された仮想的な平面が、仮想洗浄面と、それぞれ定義される場合、前記第１および第２下部断面線の中点のそれぞれは、前記第１仮想基準線より下側に配置され、前記第１および第２下部傾斜角は、互いに異なる符号とされ、前記第１および第２下部傾斜角のそれぞれの絶対値は、同程度とされ、かつ、前記第１および第２下方距離のそれぞれは、同程度とされた上で、前記基準植毛面、並びに前記第１および第２下部植毛面のそれぞれに植毛された各ブラシ束の先端位置が、前記仮想洗浄面の付近となるように、前記第１および第２下部傾斜角と、前記第１および第２下方距離と、が設定されていることを特徴とする。
【０００７】
また、請求項２の発明は、請求項１に記載の洗浄用ブラシにおいて、各々が、前記植毛部の下側に形成されるとともに、前記一対の第１および第２下部植毛面を挟むように前記延伸方向に沿って延びる一対の第３および第４下部植毛面、をさらに備え、前記第３下部植毛面は、前記基準植毛面を挟んで前記第２下部植毛面と逆側に形成されるとともに、前記第４下部植毛面は、前記基準植毛面を挟んで前記第１下部植毛面と逆側に形成されており、前記第１断面は、さらに前記第３および第４下部植毛面のそれぞれと交差し、前記第１断面および前記第３下部植毛面が交差することによって前記第１断面に表れる前記第３下部植毛面の形状が、第３下部断面線と、前記第１断面および前記第４下部植毛面が交差することによって前記第１断面に表れる前記第４下部植毛面の形状が、第４下部断面線と、前記第１基準断面線に対して前記第３下部断面線のなす角が、第３下部傾斜角と、前記第１基準断面線に対して前記第４下部断面線のなす角が、第４下部傾斜角と、前記第３下部断面線の中点と前記第１仮想基準線との間の距離が、第３下方距離と、前記第４下部断面線の中点と前記第１仮想基準線との間の距離が、第４下方距離と、さらに定義される場合、前記第１から第４下部断面線の中点のそれぞれは、前記第１仮想基準線より下側に配置され、前記第１および第２下部傾斜角は、互いに異なる符号とされ、前記第３および第４下部傾斜角は、互いに異なる符号とされ、前記第１および第２下部傾斜角のそれぞれの絶対値は、同程度とされ、前記第３および第４下部傾斜角のそれぞれの絶対値は、同程度とされ、前記第１および第２下方距離のそれぞれは、同程度とされ、前記第３および第４下方距離のそれぞれは、同程度とされ、前記第３および第４下方距離のそれぞれは、前記第１および第２下方距離のそれぞれより長くされ、かつ、前記第３および第４下部傾斜角のそれぞれの絶対値は、前記第１および第２下部傾斜角のそれぞれの絶対値より大きくされた上で、前記基準植毛面、並びに前記第１から第４下部植毛面のそれぞれに植毛された各ブラシ束の先端位置が、前記仮想洗浄面の付近となるように、前記第１から第４下部傾斜角と、前記第１から第４下方距離と、が設定されていることを特徴とする。
【０００８】
また、請求項３の発明は、請求項１に記載の洗浄用ブラシにおいて、各々が、前記植毛部の側面に形成されるとともに、前記一対の第１および第２下部植毛面を挟むように前記延伸方向に沿って延びる一対の第１および第２側部植毛面、をさらに備え、前記第１側部植毛面は、前記基準植毛面を挟んで前記第２下部植毛面と逆側に形成されるとともに、前記第２側部植毛面は、前記基準植毛面を挟んで前記第１下部植毛面と逆側に形成されており、前記第１断面は、さらに前記第１および第２側部植毛面のそれぞれと交差し、前記第１断面および前記第１側部植毛面が交差することによって前記第１断面に表れる前記第１側部植毛面の形状が、第１側部断面線と、前記第１断面および前記第２側部植毛面が交差することによって前記第１断面に表れる前記第２側部植毛面の形状が、第２側部断面線と、前記第１基準断面線に対して前記第１側部断面線のなす角が、第１側部傾斜角と、前記第１基準断面線に対して前記第２側部断面線のなす角が、第２側部傾斜角と、前記第１側部断面線の中点と前記第１仮想基準線との間の距離が、第１側方距離と、前記第２側部断面線の中点と前記第１仮想基準線との間の距離が、第２側方距離と、さらに定義される場合、前記第１および第２下部断面線、並びに前記第１および第２側部断面線の中点のそれぞれは、前記第１仮想基準線より下側に配置され、前記第１および第２下部傾斜角は、互いに異なる符号とされ、前記第１および第２側部傾斜角は、互いに異なる符号とされ、前記第１および第２下部傾斜角のそれぞれの絶対値は、同程度とされ、前記第１および第２側部傾斜角のそれぞれの絶対値は、同程度とされ、前記第１および第２下方距離のそれぞれは、同程度とされ、前記第１および第２側方距離のそれぞれは、同程度とされ、前記第１および第２側方距離のそれぞれは、前記第１および第２下方距離のそれぞれより長くされ、かつ、前記第１および第２側部傾斜角のそれぞれの絶対値は、前記第１および第２下部傾斜角のそれぞれの絶対値より大きくされた上で、前記基準植毛面、前記第１および第２下部植毛面、並びに前記第１および第２側部植毛面のそれぞれに植毛された各ブラシ束の先端位置が、前記仮想洗浄面の付近となるように、前記第１および第２下部傾斜角、並びに前記第１および第２側部傾斜角と、前記第１および第２下方距離、並びに前記第１および第２側方距離と、が設定されていることを特徴とする。
【０００９】
また、請求項４の発明は、請求項１に記載の洗浄用ブラシにおいて、各々が、前記植毛部の下側に形成されるとともに、前記一対の第１および第２下部植毛面を挟むように前記延伸方向に沿って延びる一対の第３および第４下部植毛面と、各々が、前記植毛部の側面に形成されるとともに、前記一対の第３および第４下部植毛面を挟むように前記延伸方向に沿って延びる一対の第１および第２側部植毛面とをさらに備え、前記第３下部植毛面および前記第１側部植毛面のそれぞれは、前記基準植毛面を挟んで前記第２下部植毛面と逆側に形成されるとともに、前記第４下部植毛面および前記第２側部植毛面のそれぞれは、前記基準植毛面を挟んで前記第１下部植毛面と逆側に形成されており、前記第１断面は、さらに前記第３および第４下部植毛面、並びに前記第１および第２側部植毛面のそれぞれと交差し、前記第１断面および前記第３下部植毛面が交差することによって前記第１断面に表れる前記第３下部植毛面の形状が、第３下部断面線と、前記第１断面および前記第４下部植毛面が交差することによって前記第１断面に表れる前記第４下部植毛面の形状が、第４下部断面線と、前記第１基準断面線に対して前記第３下部断面線のなす角が、第３下部傾斜角と、前記第１基準断面線に対して前記第４下部断面線のなす角が、第４下部傾斜角と、前記第３下部断面線の中点と前記第１仮想基準線との間の距離が、第３下方距離と、前記第４下部断面線の中点と前記第１仮想基準線との間の距離が、第４下方距離と、前記第１断面および前記第１側部植毛面が交差することによって前記第１断面に表れる前記第１側部植毛面の形状が、第１側部断面線と、前記第１断面および前記第２側部植毛面が交差することによって前記第１断面に表れる前記第２側部植毛面の形状が、第２側部断面線と、前記第１基準断面線に対して前記第１側部断面線のなす角が、第１側部傾斜角と、前記第１基準断面線に対して前記第２側部断面線のなす角が、第２側部傾斜角と、前記第１側部断面線の中点と前記第１仮想基準線との間の距離が、第１側方距離と、前記第２側部断面線の中点と前記第１仮想基準線との間の距離が、第２側方距離と、さらに定義される場合、前記第１から第４下部断面線、並びに前記第１および第２側部断面線の中点のそれぞれは、前記第１仮想基準線より下側に配置され、前記第１および第２下部傾斜角は、互いに異なる符号とされ、前記第３および第４下部傾斜角は、互いに異なる符号とされ、前記第１および第２側部傾斜角は、互いに異なる符号とされ、前記第１および第２下部傾斜角のそれぞれの絶対値は、同程度とされ、前記第３および第４下部傾斜角のそれぞれの絶対値は、同程度とされ、前記第１および第２側部傾斜角のそれぞれの絶対値は、同程度とされ、前記第１および第２下方距離のそれぞれは、同程度とされ、前記第３および第４下方距離のそれぞれは、同程度とされ、前記第１および第２側方距離のそれぞれは、同程度とされ、前記第３および第４下方距離のそれぞれは、前記第１および第２下方距離のそれぞれより長くされ、前記第１および第２側方距離のそれぞれは、前記第３および第４下方距離のそれぞれより長くされ、前記第３および第４下部傾斜角のそれぞれの絶対値は、前記第１および第２下部傾斜角のそれぞれの絶対値より大きくされ、かつ、前記第１および第２側部傾斜角のそれぞれの絶対値は、前記第３および第４下部傾斜角のそれぞれの絶対値より大きくされた上で、前記基準植毛面、前記第１から第４下部植毛面、並びに前記第１および第２側部植毛面のそれぞれに植毛された各ブラシ束の先端位置が、前記仮想洗浄面の付近となるように、前記第１から第４下部傾斜角、並びに前記第１および第２側部傾斜角と、前記第１から第４下方距離、並びに前記第１および第２側方距離と、が設定されていることを特徴とする。
【００１０】
また、請求項５の発明は、請求項１から請求項４のいずれかに記載の洗浄用ブラシにおいて、前記植毛部の下側に形成されており、前記第１および第２下部植毛面を接続する接続植毛面、をさらに備え、前記接続植毛面は、前記第１下部植毛面と連結された第１連結面と、前記第１連結面と連結されており、前記延伸方向と異なった第１進行方向に沿って延びる第１延長面と、前記第２下部植毛面と連結された第２連結面と、前記第２連結面と連結されており、前記延伸方向と異なった第２進行方向に沿って延びる第２延長面と、前記第１および第２延長面のそれぞれと連結された第３連結面とを有し、前記基準植毛面または前記基準植毛面を前記延伸方向に延長させた平面が、仮想基準面と、前記第１進行方向と垂直であって、前記基準植毛面および前記第１延長面のそれぞれと交差する断面が、第２断面と、前記第２進行方向と垂直であって、前記基準植毛面および前記第２延長面のそれぞれと交差する断面が、第３断面と、前記第２断面および前記仮想基準面が交差することによって前記第２断面に表れる前記仮想基準面の形状が、第２基準断面線と、前記第３断面および前記仮想基準面が交差することによって前記第３断面に表れる前記仮想基準面の形状が、第３基準断面線と、前記第２基準断面線を含む仮想的な直線が、第２仮想基準線と、前記第３基準断面線を含む仮想的な直線が、第３仮想基準線と、前記第２断面および前記第１延長面が交差することによって前記第２断面に表れる前記第１延長面の形状が、第１接合断面線と、前記第３断面および前記第２延長面が交差することによって前記第３断面に表れる前記第２延長面の形状が、第２接合断面線と、前記第２基準断面線に対して前記第１接合断面線のなす角が、第１接合傾斜角と、前記第３基準断面線に対して前記第２接合断面線のなす角が、第２接合傾斜角と、前記第１接合断面線の中点と前記第２仮想基準線との間の距離が、第１接続距離と、前記第２接合断面線の中点と前記第３仮想基準線との間の距離が、第２接続距離と、さらに定義される場合、前記第１および第２下部断面線の中点のそれぞれは、前記第１仮想基準線より下側に配置され、前記第１接合断面線の中点は、前記第２仮想基準線より下側に配置され、前記第２接合断面線の中点は、前記第３仮想基準線より下側に配置され、前記第１および第２下部傾斜角は、互いに異なる符号とされ、前記第１および第２接合傾斜角は、互いに異なる符号とされ、前記第１下部傾斜角および第１接合傾斜角は、同一符号とされ、前記第２下部傾斜角および第２接合傾斜角は、同一符号とされ、前記第１および第２下方距離、並びに前記第１および第２接続距離のそれぞれは、同程度とされ、前記第１および第２下部傾斜角、並びに前記第１および第２接合傾斜角のそれぞれの絶対値は、同程度とされた上で、前記基準植毛面、前記第１および第２下部植毛面、並びに前記第１および第２延長面のそれぞれに植毛された各ブラシ束の先端位置が、前記仮想洗浄面の付近となるように、前記第１および第２下部傾斜角、並びに前記第１および第２接合傾斜角と、前記第１および第２下方距離、並びに前記第１および第２接続距離と、が設定されていることを特徴とする。
【発明の効果】
【００１１】
請求項１から請求項５に記載の発明において、基準植毛面と、基準植毛面に対して傾斜するとともに、基準植毛面から仮想洗浄面側に一定距離だけ離隔して配置された一対の第１および第２下部植毛面と、のそれぞれに、各々の長さが同程度とされた複数のブラシ束が、植毛されている。
【００１２】
そのため、基準植毛面のブラシ束を中心に、末広がり状にブラシ束が植毛される場合であっても、各ブラシ束の毛先を切り揃えることなく、各ブラシ束の先端位置を仮想洗浄面の付近に配置することができる。
【００１３】
また、各ブラシ束の毛先が切り揃えられ、切断後の毛先により仮想洗浄面と平行な洗浄面が形成される場合であっても、各ブラシ束の切断量を最小限に抑えることができる。そのため、洗浄用ブラシの製造時において発生する無駄を抑制でき、洗浄用ブラシの製造コストを低減させることができる。
【図面の簡単な説明】
【００１４】
【図１】本発明の実施の形態における洗浄用ブラシの構成の一例を示す側面図である。
【図２】本発明の実施の形態における洗浄用ブラシの構成の一例を示す平面図である。
【図３】本発明の実施の形態における洗浄用ブラシの構成の一例を示す背面図である。
【図４】本発明の実施の形態における洗浄用ブラシの構成の一例を示す背面側斜視図である。
【図５】本発明の実施の形態における洗浄用ブラシの構成の一例を示す底面側斜視図である。
【図６】図２のＡ−Ａ線から見た洗浄用ブラシの構成の一例を示す断面図である。
【図７】図２のＡ−Ａ線から見た洗浄用ブラシの構成の一例を示す断面図である。
【図８】図２のＡ−Ａ線から見た洗浄用ブラシの構成の一例を示す断面図である。
【図９】図２のＡ−Ａ線から見た洗浄用ブラシの構成の一例を示す断面図である。
【図１０】図２のＣ−Ｄ−Ｅ線から見た洗浄用ブラシの構成の一例を示す断面図である。
【図１１】図２のＢ−Ｂ線から見た洗浄用ブラシの構成の一例を示す断面図である。
【図１２】図２のＣ−Ｄ−Ｅ線から見た洗浄用ブラシの構成の一例を示す断面図である。
【図１３】図２のＡ−Ａ線から見た洗浄用ブラシの構成の他の一例を示す断面図である。
【図１４】図２のＡ−Ａ線から見た洗浄用ブラシの構成の他の一例を示す断面図である。
【発明を実施するための形態】
【００１５】
以下、図面を参照しつつ本発明の実施の形態について詳細に説明する。
【００１６】
＜１．洗浄用ブラシの構成＞
図１は、それぞれ本発明の実施の形態における洗浄用ブラシ１の構成の一例を示す側面図である。ここで、洗浄用ブラシ１は、例えば浴室の床を洗浄するためのブラシである。図１に示すように、洗浄用ブラシ１は、主として、把持部２と、植毛部３と、を備える。
【００１７】
なお、図１および以降の各図には、図面に記載された各構成要素の理解を助けるため、必要に応じて適宜、Ｚ軸方向を鉛直方向とし、ＸＹ平面を水平面とするＸＹＺ直交座標系が、付されている。
【００１８】
把持部２は、いわゆる取っ手であり、洗浄用ブラシ１の使用者は、この把持部２をつかんだ上で洗浄作業を行う。図１に示すように、把持部２は、植毛部３の上方に設けられている。
【００１９】
植毛部３は、洗浄処理に用いられる複数のブラシ束４を有している。ここで、各ブラシ束４は、同種のブラシ毛を複数束ねたものである。また、各ブラシ束４の長さは、同程度とされている。なお、植毛部３の詳細な構成については、後述する。
【００２０】
＜２．植毛部の構成＞
複数のブラシ束４が植毛された植毛部３は、主として、基準植毛面５と、第１から第４下部植毛面１０、２０、３０、４０と、第１および第２側部植毛面７０、８０と、接続植毛面５０、６０、９０と、を有している。
【００２１】
＜２．１．基準植毛面および基準植毛面に沿った各面の構成＞
図２から図５は、それぞれ本発明の実施の形態における洗浄用ブラシ１の構成の一例を示す平面図、背面図、背面側斜視図、および底面側斜視図である。図６から図９のそれぞれは、図２のＡ−Ａ線から見た洗浄用ブラシ１の構成の一例を示す断面図である。図４から図６においては、図示の都合上、ブラシ束４が省略されている。
【００２２】
ここで、図２、および図５から図９に示すように、Ａ−Ａ線における断面（以下、「第１断面」とも称する）６は、基準植毛面５の延伸方向（以下、単に「延伸方向」と称する）３ａと垂直であって、基準植毛面５、第１から第４下部植毛面１０、２０、３０、４０、並びに第１および第２側部植毛面７０、８０のそれぞれと交差する。
【００２３】
基準植毛面５は、図４および図５に示すように、植毛部３の下側（より具体的には、植毛部３を挟んで把持部２の逆側）に形成されており、一方向（延伸方向３ａ）に延伸する面である。
【００２４】
第１基準断面線６ａは、図６に示すように、第１断面６および基準植毛面５が交差することによって第１断面６に表れる基準植毛面５の形状である。また、第１仮想基準線６ｂは、第１基準断面線６ａを含む仮想的な直線である。
【００２５】
一対の第１および第２下部植毛面１０、２０のそれぞれは、図４および図５に示すように、植毛部３の下側に形成されるとともに、基準植毛面５を挟むように基準植毛面５の延伸方向３ａに沿って延びる。
【００２６】
第１下部断面線１１は、図６に示すように、第１断面６および第１下部植毛面１０が交差することによって第１断面６に表れる第１下部植毛面１０の形状である。また、第２下部断面線２１は、第１断面６および第２下部植毛面２０が交差することによって第１断面６に表れる第２下部植毛面２０の形状である。
【００２７】
第１および第２下部傾斜角１３、２３は、図６に示すように、それぞれ第１基準断面線６ａに対して第１および第２下部断面線１１、２１のなす角である。図６に示すように、第１および第２下部傾斜角１３、２３は、互いに異なる符号とされるとともに、第１および第２下部傾斜角１３、２３のそれぞれの絶対値は、同程度となるように設定されている。
【００２８】
第１下方距離１４は、図６および図７に示すように、第１下部断面線１１の中点１１ａと第１仮想基準線６ｂとの間の距離である。また、第２下方距離２４は、第２下部断面線２１の中点２１ａと第１仮想基準線６ｂとの間の距離である。
【００２９】
図７に示すように、第１および第２下方距離１４、２４のそれぞれは、同程度となるように設定されている。また、中点１１ａ、２１ａのそれぞれは、第１仮想基準線６ｂより下側に配置されている。
【００３０】
一対の第３および第４下部植毛面３０、４０のそれぞれは、図４および図５に示すように、植毛部３の下側に形成されるとともに、一対の第１および第２下部植毛面１０、２０を挟むように延伸方向３ａに沿って延びる。
【００３１】
図４および図５に示すように、第３下部植毛面３０は、基準植毛面５を挟んで第２下部植毛面２０と逆側に形成されている。また、第３下部植毛面３０は、第１下部植毛面１０と隣接して配置されている。
【００３２】
さらに、第４下部植毛面４０は、基準植毛面５を挟んで第１下部植毛面１０と逆側に形成されている。また、第４下部植毛面４０は、第１下部植毛面１０と隣接して配置されている。
【００３３】
第３下部断面線３１は、図６に示すように、第１断面６および第３下部植毛面３０が交差することによって第１断面６に表れる第３下部植毛面３０の形状である。また、第４下部断面線４１は、第１断面６および第４下部植毛面４０が交差することによって第１断面６に表れる第４下部植毛面４０の形状である。
【００３４】
第３および第４下部傾斜角３３、４３は、図６に示すように、それぞれ第１基準断面線６ａに対して第３および第４下部断面線３１、４１のなす角である。図６に示すように、第３および第４下部傾斜角３３、４３は、互いに異なる符号となるように設定されている。また、第３および第４下部傾斜角３３、４３のそれぞれの絶対値は、同程度とされるとともに、第１および第２下部傾斜角１３、２３のそれぞれの絶対値より大きくなるように設定されている。
【００３５】
第３下方距離３４は、図６および図７に示すように、第３下部断面線３１の中点３１ａと第１仮想基準線６ｂとの間の距離である。また、第４下方距離４４は、第４下部断面線４１の中点４１ａと第１仮想基準線６ｂとの間の距離である。
【００３６】
図７に示すように、第３および第４下方距離３４、４４のそれぞれは、同程度となるように設定されている。また、第３および第４下方距離３４、４４のそれぞれは、第１および第２下方距離１４、２４のそれぞれより長くなるように設定されている。さらに、中点３１ａ、４１ａのそれぞれは、第１仮想基準線６ｂより下側に配置されている。
【００３７】
一対の第１および第２側部植毛面７０、８０のそれぞれは、図２、図４、および図５に示すように、植毛部３の側面に形成されるとともに、一対の第３および第４下部植毛面３０、４０（また同時に、一対の第１および第２下部植毛面１０、２０）を挟むように延伸方向３ａに沿って延びる。
【００３８】
図２、図４、および図５に示すように、第１側部植毛面７０は、基準植毛面５を挟んで第２下部植毛面２０（および第４下部植毛面４０）と逆側に形成されている。また、第１側部植毛面７０は、第３下部植毛面３０と隣接して配置されている。
【００３９】
さらに、第２側部植毛面８０は、基準植毛面５を挟んで第２下部植毛面１０（および第３下部植毛面３０）と逆側に形成されている。また、第２側部植毛面８０は、第４下部植毛面４０と隣接して配置されている。
【００４０】
第１側部断面線７１は、図６に示すように、第１断面６および第１側部植毛面７０が交差することによって第１断面６に表れる第１側部植毛面７０の形状である。また、第２側部断面線８１は、第１断面６および第２側部植毛面８０が交差することによって第１断面６に表れる第２側部植毛面８０の形状である。
【００４１】
第１および第２側部傾斜角７３、８３は、図６に示すように、それぞれ第１基準断面線６ａに対して第１および第２側部断面線７１、８１のなす角である。図６に示すように、第１および第２側部傾斜角７３、８３は、互いに異なる符号となるように設定されている。また、第１および第２側部傾斜角７３、８３のそれぞれの絶対値は、同程度とされるとともに、第１から第４下部傾斜角１３、２３、３３、４３のそれぞれの絶対値より大きくなるように設定されている。
【００４２】
第１側方距離７４は、図６および図７に示すように、第１側部断面線７１の中点７１ａと第１仮想基準線６ｂとの間の距離である。また、第２側方距離８４は、第２側部断面線８１の中点８１ａと第１仮想基準線６ｂとの間の距離である。
【００４３】
図７に示すように、第１および第２側方距離７４、８４のそれぞれは、同程度となるように設定されている。また、第１および第２側方距離７４、８４のそれぞれは、第１から第４下方距離１４、２４、３４、４４のそれぞれより長くなるように設定されている。さらに、中点７１ａ、８１ａのそれぞれは、第１仮想基準線６ｂより下側に配置されている。
【００４４】
そして、図７に示すように、基準植毛面５と平行であって、基準植毛面５から下方に離隔して配置された仮想的な平面を仮想洗浄面９と定義する場合、本実施の形態では、基準植毛面５、第１から第４下部植毛面１０、２０、３０、４０、並びに第１および第２側部植毛面７０、８０のそれぞれに植毛された各ブラシ束４の先端位置４ａが、仮想洗浄面９の付近（より具体的には、上限９ａおよび下限９ｂの間）となるように、第１から第４下部傾斜角１３、２３、３３、４３、並びに第１および第２側部傾斜角７３、８３と、第１から第４下方距離１４、２４、３４、４４、並びに第１および第２側方距離７４、８４と、が設定されている。
【００４５】
そのため、図７に示すように、基準植毛面５のブラシ束４を中心に、末広がり状に各ブラシ束４を植毛する場合であっても、各ブラシ束４の毛先を切り揃えることなく、各ブラシ束４の先端位置４ａを仮想洗浄面の付近に配置することができる。
【００４６】
また、図８の一点鎖線に沿って各ブラシ束４の毛先が切り揃えられ、切断後の毛先により仮想洗浄面９と平行な洗浄面１ａ（図９参照）が形成される場合であっても、各ブラシ束４の切断量を最小限に抑えることができる。そのため、洗浄用ブラシ１の製造時において発生する無駄を抑制でき、洗浄用ブラシの製造コストを低減させることができる。
【００４７】
ここで、ブラシ束４の先端位置４ａとしては、例えば、仮想洗浄面９側においてブラシ束４の中心軸とブラシ束４の端部とが交差する位置が採用されても良い。
【００４８】
＜２．２．接続植毛面の構成＞
図１０および図１２のそれぞれ（図示の都合上、ブラシ束４が省略されている）は、図２のＣ−Ｄ−Ｅ線から見た洗浄用ブラシ１の構成の一例を示す断面図である。図１１は、図２のＢ−Ｂ線から見た洗浄用ブラシ１の構成の一例を示す断面図である。以下では、図２、図４、図５、および図１０から図１２を参照しつつ、接続植毛面５０、６０、９０について説明する。
【００４９】
接続植毛面５０は、植毛部３の下側に形成されており、第１および第２下部植毛面１０、２０を接続する。図５および図１１に示すように、接続植毛面５０は、主として、
（１）第１下部植毛面１０と連結された第１連結面５０ａと、
（２）第１連結面５０ａと連結されており、延伸方向３ａと異なった第１進行方向３ｂに沿って延びる第１延長面５１と、
（３）第２下部植毛面２０と連結された第２連結面５０ｂと、
（４）第２連結面５０ｂと連結されており、延伸方向３ａおよび第１進行方向３ｂと異なった第２進行方向３ｃに沿って延びる第２延長面５６と、
（５）第１および第２延長面５１、５６のそれぞれと連結された第３連結面５０ｃと、
を有する。
【００５０】
ここで、図２、図５、図１０、および図１２に示すように、Ｃ−Ｄ線における断面（以下、「第２断面」とも称する）７（図１０および図１２参照）は、第１進行方向３ｂと垂直であって、基準植毛面５および第１延長面５１のそれぞれと交差する。また、Ｄ−Ｅ線における断面（以下、「第３断面」とも称する）８（図１０および図１２参照）は、第２進行方向３ｃと垂直であって、基準植毛面５および第２延長面５６のそれぞれと交差する。
【００５１】
また、第２基準断面線７ａは、図１０に示すように、第２断面７および基準植毛面５が交差することによって第２断面７に表れる基準植毛面５の形状である。また、第２仮想基準線７ｂは、第２基準断面線７ａを含む仮想的な直線である。
【００５２】
さらに、第３基準断面線８ａは、第３断面８および基準植毛面５が交差することによって第３断面８に表れる基準植毛面５の形状である。また、第３仮想基準線８ｂは、第３基準断面線８ａを含む仮想的な直線である。
【００５３】
第１接合断面線５２は、図１０に示すように、第２断面７および第１延長面５１が交差することによって第２断面７に表れる第１延長面５１の形状である。また、第２接合断面線５７は、第３断面８および第２延長面５６が交差することによって第３断面８に表れる第２延長面５６の形状である。
【００５４】
第１接合傾斜角５３は、図１０に示すように、第２基準断面線７ａに対して第１接合断面線５２のなす角である。また、第２接合傾斜角５８は、第３基準断面線８ａに対して第２接合断面線５７のなす角である。図１０に示すように、第１および第２接合傾斜角５３、５８は、互いに異なる符号となるように設定されている。
【００５５】
また、図６および図１０に示すように、第１下部傾斜角１３および第１接合傾斜角５３、並びに第２下部傾斜角２３および第２接合傾斜角５８のそれぞれは、同一符号となるように設定されている。さらに、第１および第２下部傾斜角１３、２３、並びに第１および第２接合傾斜角５３、５８のそれぞれの絶対値は、同程度となるように設定されている。
【００５６】
第１接続距離５４は、図１０および図１２に示すように、第１接合断面線５２の中点５２ａと第２仮想基準線７ｂとの間の距離である。また、第２接続距離５９は、第２接合断面線５７の中点５７ａと第３仮想基準線８ｂとの間の距離である。
【００５７】
図７および図１２に示すように、第１および第２下方距離１４、２４、並びに第１および第２接続距離５４、５９のそれぞれは、同程度となるように設定されている。また、第１接合断面線５２の中点５２ａは、第２仮想基準線７ｂより下側に配置されている。さらに、第２接合断面線５７の中点５７ａは、第３仮想基準線８ｂより下側に配置されている。
【００５８】
そして、本実施の形態では、基準植毛面５、並びに第１および第２下部植毛面１０、２０に加えて、第１および第２延長面５１、５６のそれぞれに植毛された各ブラシ束４の先端位置４ａも、仮想洗浄面９の付近となるように、第１および第２下部傾斜角１３、２３、並びに第１および第２接合傾斜角５３、５８と、第１および第２下方距離１４、２４、並びに第１および第２接続距離５４、５９と、が設定されている。
【００５９】
このように、第１および第２下部植毛面１０、２０に加えて、第１および第２延長面５１、５６がさらに付加される場合であっても、各ブラシ束４の毛先を切り揃えることなく、各ブラシ束４の先端位置を仮想洗浄面９の付近に配置することができる。また、各ブラシ束４の毛先が切り揃えられ、切断後の毛先により仮想洗浄面９と平行な洗浄面１ａが形成される場合であっても、各ブラシ束４の切断量を最小限に抑えることができる。
【００６０】
接続植毛面６０は、接続植毛面５０と同様に、植毛部３の下側に形成されており、第３および第４下部植毛面３０、４０を接続する。図５および図１１に示すように、接続植毛面６０は、主として、
（１）第３下部植毛面３０と連結された第１連結面６０ａと、
（２）第１連結面６０ａと連結されており、第１進行方向３ｂに沿って延びる第１延長面６１と、
（３）第４下部植毛面４０と連結された第２連結面６０ｂと、
（４）第２連結面６０ｂと連結されており、第２進行方向３ｃに沿って延びる第２延長面６６と、
（５）第１および第２延長面６１、６６のそれぞれと連結された第３連結面６０ｃと、
を有する。
【００６１】
ここで、図２、図５、図１０、および図１２に示すように、第２断面７（図１０および図１２参照）は、さらに第１延長面６１と交差する。また、第３断面８（図１０および図１２参照）は、さらに第２延長面６６と交差する。さらに、第１および第２延長面６１、６６は、それぞれ第１および第２延長面５１、５６と隣接して配置されている。
【００６２】
第１接合断面線６２は、図１０に示すように、第２断面７および第１延長面６１が交差することによって第２断面７に表れる第１延長面６１の形状である。また、第２接合断面線６７は、第３断面８および第２延長面６６が交差することによって第３断面８に表れる第２延長面６６の形状である。
【００６３】
第１接合傾斜角６３は、図１０に示すように、第２基準断面線７ａに対して第１接合断面線６２のなす角である。また、第２接合傾斜角６８は、第３基準断面線８ａに対して第２接合断面線６７のなす角である。図１０に示すように、第１および第２接合傾斜角６３、６８は、互いに異なる符号となるように設定されている。
【００６４】
また、図６および図１０に示すように、第３下部傾斜角３３および第１接合傾斜角６３、並びに第４下部傾斜角４３および第２接合傾斜角６８のそれぞれは、同一符号となるように設定されている。さらに、第３および第４下部傾斜角３３、４３、並びに第１および第２接合傾斜角６３、６８のそれぞれの絶対値は、同程度となるように設定されている。
【００６５】
第１接続距離６４は、図１０および図１２に示すように、第１接合断面線６２の中点６２ａと第２仮想基準線７ｂとの間の距離である。また、第２接続距離６９は、第２接合断面線６７の中点６７ａと第３仮想基準線８ｂとの間の距離である。
【００６６】
図７および図１２に示すように、第３および第４下方距離３４、４４、並びに第１および第２接続距離６４、６９のそれぞれは、同程度となるように設定されている。また、第１接合断面線６２の中点６２ａは、第２仮想基準線７ｂより下側に配置されている。さらに、第２接合断面線６７の中点６７ａは、第３仮想基準線８ｂより下側に配置されている。
【００６７】
そして、本実施の形態では、基準植毛面５、並びに第３および第４下部植毛面３０、４０に加えて、第１および第２延長面６１、６６のそれぞれに植毛された各ブラシ束４の先端位置４ａも、仮想洗浄面９の付近となるように、第３および第４下部傾斜角３３、４３、並びに第１および第２接合傾斜角６３、６８と、第３および第４下方距離３４、４４、並びに第１および第２接続距離５４、５９と、が設定されている。
【００６８】
このように、第３および第４下部植毛面３０、４０に加えて、第１および第２延長面６１、６６がさらに付加される場合であっても、各ブラシ束４の毛先を切り揃えることなく、各ブラシ束４の先端位置４ａを仮想洗浄面９の付近に配置することができる。また、各ブラシ束４の毛先が切り揃えられ、切断後の毛先により仮想洗浄面９と平行な洗浄面１ａが形成される場合であっても、各ブラシ束４の切断量を最小限に抑えることができる。
【００６９】
接続植毛面９０は、植毛部３の側面に形成されており、第１および第２側部植毛面７０、８０を接続する。図５および図１１に示すように、接続植毛面９０は、主として、
（１）第１側部植毛面７０と連結された第１連結面９０ａと、
（２）第１連結面９０ａと連結されており、延伸方向３ａと異なった第１進行方向３ｂに沿って延びる第１延長面９１と、
（３）第２側部植毛面８０と連結された第２連結面９０ｂと、
（４）第２連結面９０ｂと連結されており、延伸方向３ａおよび第１進行方向３ｂと異なった第２進行方向３ｃに沿って延びる第２延長面９６と、
（５）第１および第２延長面９１、９６のそれぞれと連結された第３連結面９０ｃと、
を有する。
【００７０】
ここで、図２、図５、図１０、および図１２に示すように、第２断面７は、さらに第１延長面９１と交差する。また、第３断面８は、さらに第２延長面９６と交差する。
【００７１】
また、第１および第２延長面９１、９６は、それぞれ第１および第２延長面６１、６６と隣接して配置されている。
【００７２】
第１接合断面線９２は、図１０に示すように、第２断面７および第１延長面９１が交差することによって第２断面７に表れる第１延長面９１の形状である。また、第２接合断面線９７は、第３断面８および第２延長面９６が交差することによって第３断面８に表れる第２延長面９６の形状である。
【００７３】
第１接合傾斜角９３は、図１０に示すように、第２基準断面線７ａに対して第１接合断面線９２のなす角である。また、第２接合傾斜角９８は、第３基準断面線８ａに対して第２接合断面線９７のなす角である。図１０に示すように、第１および第２接合傾斜角９３、９８は、互いに異なる符号となるように設定されている。
【００７４】
また、図６および図１０に示すように、第１側部傾斜角７３および第１接合傾斜角９３、並びに第２側部傾斜角８３および第２接合傾斜角９８のそれぞれは、同一符号となるように設定されている。さらに、第１および第２側部傾斜角７３、８３、並びに第１および第２接合傾斜角９３、９８のそれぞれの絶対値は、同程度となるように設定されている。
【００７５】
第１接続距離９４は、図１０および図１２に示すように、第１接合断面線９２の中点９２ａと第２仮想基準線７ｂとの間の距離である。また、第２接続距離９９は、第２接合断面線９７の中点９７ａと第３仮想基準線８ｂとの間の距離である。
【００７６】
図７および図１２に示すように、第１および第２側方距離７４、８４、並びに第１および第２接続距離９４、９９のそれぞれは、同程度となるように設定されている。また、第１接合断面線９２の中点９２ａは、第２仮想基準線７ｂより下側に配置されている。さらに、第２接合断面線９７の中点９７ａは、第３仮想基準線８ｂより下側に配置されている。
【００７７】
そして、本実施の形態では、基準植毛面５、並びに第１および第２側部植毛面７０、８０に加えて、第１および第２延長面９１、９６のそれぞれに植毛された各ブラシ束４の先端位置４ａも、仮想洗浄面９の付近となるように、第１および第２側部傾斜角７３、８３、並びに第１および第２接合傾斜角９３、９８と、第１および第２側方距離７４、８４、並びに第１および第２接続距離９４、９９と、が設定されている。
【００７８】
このように、第１および第２側部植毛面７０、８０に加えて、第１および第２延長面９１、９６がさらに付加される場合であっても、各ブラシ束４の毛先を切り揃えることなく、各ブラシ束４の先端位置４ａを仮想洗浄面９の付近に配置することができる。また、各ブラシ束４の毛先が切り揃えられ、切断後の毛先により仮想洗浄面９と平行な洗浄面１ａが形成される場合であっても、各ブラシ束４の切断量を最小限に抑えることができる。
【００７９】
＜３．本実施の形態の洗浄用ブラシの利点＞
以上のように、本実施の形態の洗浄用ブラシ１において、
（１）基準植毛面５と、
（２）基準植毛面５に対して傾斜するとともに、基準植毛面５から仮想洗浄面９側に一定距離だけ離隔して配置された第１から第４下部植毛面１０、２０、３０、４０、並びに一対の第１および第２側部植毛面７０、８０と、
のそれぞれには、各々の長さが同程度とされ、かつ同種のブラシ束４が、植毛されている。
【００８０】
そのため、基準植毛面５のブラシ束４を中心に、末広がり状にブラシ束４が植毛される場合であっても、各ブラシ束４の毛先を切り揃えることなく、各ブラシ束４の先端位置４ａを仮想洗浄面９の付近に配置することができる。
【００８１】
また、各植毛面には、各々の長さが同程度とされ、かつ同種のブラシ束４が、植毛されており、各ブラシ束４の曲げ剛性は、同程度となる。そのため、末広がり状にブラシ束４が植毛される場合であっても、各ブラシ束４による洗浄力（より具体的には、各ブラシ束４の端部による擦り洗いの洗浄力）を同程度にすることができる。
【００８２】
また、各ブラシ束４の毛先が切り揃えられ、切断後の毛先により仮想洗浄面９と平行な洗浄面１ａが形成される場合であっても、各ブラシ束４の切断量を最小限に抑えることができる。そのため、洗浄用ブラシ１の製造時において発生する無駄を抑制でき、洗浄用ブラシ１の製造コストを低減させることができる。
【００８３】
＜４．変形例＞
以上、本発明の実施の形態について説明してきたが、本発明は上記実施の形態に限定されるものではなく様々な変形が可能である。
【００８４】
（１）本実施の形態において、植毛部３には、複数のブラシ束４が植毛されるものとして説明したが、これに限定されるものでない。例えば、複数のブラシ毛が植毛部３に植毛された結果、複数のブラシ束４が植毛されものと同様の態様となる場合には、このような植毛手法が採用されても良い。
【００８５】
（２）また、本実施の形態において、第２および第３断面７、８のそれぞれは、基準植毛面５と交差するものとして説明したが、これに限定されるものでない。
【００８６】
例えば、第２および第３断面７、８のいずれか一方と、基準植毛面５と、が交差しない場合には、基準植毛面５を延伸方向３ａに延長させた平面と第２断面７とに基づいて第２基準断面線７ａが、基準植毛面５を延伸方向３ａに延長させた平面と第３断面８とに基づいて第３基準断面線８ａが、それぞれ規定されても良い。
【００８７】
すなわち、基準植毛面５または基準植毛面５を延伸方向３ａに延長させた平面が、「仮想基準面」と定義される場合、第２基準断面線７ａは、この仮想基準面および第２断面７が交差することによって第２断面７に表れる仮想基準面の形状とされても良い。また、第３基準断面線８ａは、この仮想基準面および第３断面８が交差することによって第３断面８に表れる仮想基準面の形状とされても良い。
【００８８】
（３）また、本実施の形態において、把持部２は、植毛部３の上方に設けられるものとして説明したが、これに限定されるものでない。例えば、把持部２は、植毛部３の背面側からＹ軸プラス方向に延伸するように設けられても良い。また、本実施の形態のような把持部２を採用せず、植毛部３自体を把持して使用しても良い。すなわち、把持部２は、本実施の形態の洗浄用ブラシ１の必須の構成要素ではない。
【００８９】
（４）また、本実施の形態において、第１から第４下部断面線１１、２１、３１、４１、第１および第２側部断面線７１、８１、第１接合断面線５２、６２、９２、並びに第２接合断面線５７、６７、９７のそれぞれは、直線状であるものとして説明したが、これに限定されるものでない。例えば、これら断面線が曲線状の場合、対応する断面線の中点として、この断面線と、この断面線の両端と、を結んだ領域の重心が採用されても良い。
【００９０】
（５）また、本実施の形態において、各ブラシ束４の毛先が切り揃えられる場合、図８および図９に示すように、
（Ａ）各ブラシ束４の端部を仮想洗浄面９と平行な方向に切断するとともに、
（Ｂ）植毛部３の側面に植毛されたブラシ束４については、さらに仮想洗浄面９と垂直な方向にも切断する、
ものとして説明したが、各ブラシ束４の毛先の切り揃え方の手法は、これに限定されるものでない。
【００９１】
図１３および図１４のそれぞれは、図２のＡ−Ａ線から見た洗浄用ブラシ１の構成の他の一例を示す断面図である。図１３および図１４に示すように、各ブラシ束４の端部を仮想洗浄面９と平行な方向にのみ切断することによって、各ブラシ束４の毛先が切り揃えられても良い。
【００９２】
（６）さらに、本実施の形態において、植毛部３は、延伸方向３ａに沿った植毛面として、基準植毛面５と、第１から第４下部植毛面１０、２０、３０、４０と、第１および第２側部植毛面７０、８０と、を有するものとして説明したが、これに限定されるものでない。
【００９３】
例えば、植毛部３は、基準植毛面５、並びに第１および第２下部植毛面１０、２０のみを有するものであっても良い。また、植毛部３は、基準植毛面５、および第１から第４下部植毛面１０、２０、３０、４０のみを有するものであっても良い。さらに、植毛部３は、基準植毛面５、第１および第２下部植毛面１０、２０、並びに第１および第２側部植毛面７０、８０のみを有するものであっても良い。
【００９４】
また、第３および第４下部植毛面３０、４０と、第１および第２側部植毛面７０、８０と、の間に、第３および第４下部植毛面４０に類するものが追加されても良い。この場合、延伸方向３ａに沿った植毛面の本数は、「２ｎ＋１」本（ただし、ｎは４以上の自然数）であっても良い。
【符号の説明】
【００９５】
１  洗浄用ブラシ
１ａ  洗浄面
３  植毛部
３ａ  延伸方向
３ｂ  第１進行方向
３ｃ  第２進行方向
４  ブラシ束
４ａ  先端位置
５  基準植毛面
５ａ  仮想基準面
６〜８  第１から第３断面
６ａ、７ａ、８ａ  第１から第３基準断面線
６ｂ、７ｂ、８ｂ  第１から第３仮想基準線
９  仮想洗浄面
１０、２０、３０、４０  第１から第４下部植毛面
１１、２１、３１、４１  第１から第４下部断面線
１１ａ、２１ａ、３１ａ、４１ａ、５２ａ、５７ａ、６２ａ、６７ａ、７１ａ、８１ａ、９２ａ、９７ａ  中点
１３、２３、３３、４３  第１から第４下部傾斜角
１４、２４、３４、４４  第１から第４下方距離
５０、６０、９０  接続植毛面
５０ａ、６０ａ、９０ａ  第１連結面
５０ｂ、６０ｂ、９０ｂ  第２連結面
５０ｃ、６０ｃ、９０ｃ  第３連結面
５１、６１、９１  第１延長面
５２、６２、９２  第１接合断面線
５３、６３、９３  第１接合傾斜角
５４、６４、９４  第１接続距離
５６、６６、９６  第２延長面
５７、６７、９７  第２接合断面線
５８、６８、９８  第２接合傾斜角
５９、６９、９９  第２接続距離
７０、８０  第１および第２側部植毛面
７１、８１  第１側部断面線
７３、８３  第１および第２側部傾斜角
７４、８４  第１および第２側方距離
【図１】
2019042023.tif 000003
【図２】
2019042023.tif 000004
【図３】
2019042023.tif 000005
【図４】
2019042023.tif 000006
【図５】
2019042023.tif 000007
【図６】
2019042023.tif 000008
【図７】
2019042023.tif 000009
【図８】
2019042023.tif 000010
【図９】
2019042023.tif 000011
【図１０】
2019042023.tif 000012
【図１１】
2019042023.tif 000013
【図１２】
2019042023.tif 000014
【図１３】
2019042023.tif 000015
【図１４】
2019042023.tif 000016
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
複数のブラシ束が植毛部に植毛された洗浄用ブラシであって、
(a) 前記植毛部の下側に形成されており、一方向に延伸する基準植毛面と、
(b) 各々が、前記植毛部の下側に形成されるとともに、前記基準植毛面を挟むように前記基準植毛面の延伸方向に沿って延びる一対の第１および第２下部植毛面と、
を備え、
各ブラシ束は、同種のブラシ毛を複数束ねたものであり、
各ブラシ束の長さは、同程度とされており、
(1) 前記延伸方向と垂直であって、前記基準植毛面、並びに第１および第２下部植毛面のそれぞれと交差する断面が、第１断面と、
(2) 前記第１断面および前記基準植毛面が交差することによって前記第１断面に表れる前記基準植毛面の形状が、第１基準断面線と、
(3) 前記第１基準断面線を含む仮想的な直線が、第１仮想基準線と、
(4) 前記第１断面および前記第１下部植毛面が交差することによって前記第１断面に表れる前記第１下部植毛面の形状が、第１下部断面線と、
(5) 前記第１断面および前記第２下部植毛面が交差することによって前記第１断面に表れる前記第２下部植毛面の形状が、第２下部断面線と、
(6) 前記第１基準断面線に対して前記第１下部断面線のなす角が、第１下部傾斜角と、
(7) 前記第１基準断面線に対して前記第２下部断面線のなす角が、第２下部傾斜角と、
(8) 前記第１下部断面線の中点と前記第１仮想基準線との間の距離が、第１下方距離と、
(9) 前記第２下部断面線の中点と前記第１仮想基準線との間の距離が、第２下方距離と、
(10)  前記基準植毛面と平行であって、前記基準植毛面から下方に離隔して配置された仮想的な平面が、仮想洗浄面と、
それぞれ定義される場合、
(i) 前記第１および第２下部断面線の中点のそれぞれは、前記第１仮想基準線より下側に配置され、
(ii)  前記第１および第２下部傾斜角は、互いに異なる符号とされ、
(iii) 前記第１および第２下部傾斜角のそれぞれの絶対値は、同程度とされ、かつ、
(iv)  前記第１および第２下方距離のそれぞれは、同程度とされた上で、
(v)  前記基準植毛面のブラシ束を中心に各ブラシ束が末広がり状に植毛されつつ、前記基準植毛面、並びに前記第１および第２下部植毛面のそれぞれに植毛された各ブラシ束の先端位置が、前記仮想洗浄面の付近となるように、前記第１および第２下部傾斜角と、前記第１および第２下方距離と、が設定され、
前記第１基準断面線と対応するブラシ束の先端位置との間の距離、
前記第１下部断面線の中点と対応するブラシ束の先端位置との間の距離、および、
前記第２下部断面線の中点と対応するブラシ束の先端位置との間の距離のそれぞれが、同様とされ、
前記基準植毛面、並びに前記第１および第２下部植毛面のそれぞれに対して、対応するブラシ束が垂直に植毛されていることを特徴とする洗浄用ブラシ。
【請求項２】
請求項１に記載の洗浄用ブラシにおいて、
(c) 各々が、前記植毛部の下側に形成されるとともに、前記一対の第１および第２下部植毛面を挟むように前記延伸方向に沿って延びる一対の第３および第４下部植毛面、
をさらに備え、
前記第３下部植毛面は、前記基準植毛面を挟んで前記第２下部植毛面と逆側に形成されるとともに、
前記第４下部植毛面は、前記基準植毛面を挟んで前記第１下部植毛面と逆側に形成されており、
前記第１断面は、さらに前記第３および第４下部植毛面のそれぞれと交差し、
(11)  前記第１断面および前記第３下部植毛面が交差することによって前記第１断面に表れる前記第３下部植毛面の形状が、第３下部断面線と、
(12)  前記第１断面および前記第４下部植毛面が交差することによって前記第１断面に表れる前記第４下部植毛面の形状が、第４下部断面線と、
(13)  前記第１基準断面線に対して前記第３下部断面線のなす角が、第３下部傾斜角と、
(14)  前記第１基準断面線に対して前記第４下部断面線のなす角が、第４下部傾斜角と、
(15)  前記第３下部断面線の中点と前記第１仮想基準線との間の距離が、第３下方距離と、
(16)  前記第４下部断面線の中点と前記第１仮想基準線との間の距離が、第４下方距離と、
さらに定義される場合、
(i) 前記第１から第４下部断面線の中点のそれぞれは、前記第１仮想基準線より下側に配置され、
(ii)  前記第１および第２下部傾斜角は、互いに異なる符号とされ、
(iii) 前記第３および第４下部傾斜角は、互いに異なる符号とされ、
(iv)  前記第１および第２下部傾斜角のそれぞれの絶対値は、同程度とされ、
(v) 前記第３および第４下部傾斜角のそれぞれの絶対値は、同程度とされ、
(vi)  前記第１および第２下方距離のそれぞれは、同程度とされ、
(vii) 前記第３および第４下方距離のそれぞれは、同程度とされ、
(viii)  前記第３および第４下方距離のそれぞれは、前記第１および第２下方距離のそれぞれより長くされ、かつ、
(ix)  前記第３および第４下部傾斜角のそれぞれの絶対値は、前記第１および第２下部傾斜角のそれぞれの絶対値より大きくされた上で、
(x) 前記基準植毛面のブラシ束を中心に各ブラシ束が末広がり状に植毛されつつ、前記基準植毛面、並びに前記第１から第４下部植毛面のそれぞれに植毛された各ブラシ束の先端位置が、前記仮想洗浄面の付近となるように、前記第１から第４下部傾斜角と、前記第１から第４下方距離と、が設定され、
前記第１基準断面線と対応するブラシ束の先端位置との間の距離、
前記第１下部断面線の中点と対応するブラシ束の先端位置との間の距離、
前記第２下部断面線の中点と対応するブラシ束の先端位置との間の距離、
前記第３下部断面線の中点と対応するブラシ束の先端位置との間の距離、および、
前記第４下部断面線の中点と対応するブラシ束の先端位置との間の距離のそれぞれが、同様とされ、
前記基準植毛面、および前記第１から第４下部植毛面のそれぞれに対して、対応するブラシ束が垂直に植毛されていることを特徴とする洗浄用ブラシ。
【請求項３】
請求項１に記載の洗浄用ブラシにおいて、
(d) 各々が、前記植毛部の側面に形成されるとともに、前記一対の第１および第２下部植毛面を挟むように前記延伸方向に沿って延びる一対の第１および第２側部植毛面、
をさらに備え、
前記第１側部植毛面は、前記基準植毛面を挟んで前記第２下部植毛面と逆側に形成されるとともに、
前記第２側部植毛面は、前記基準植毛面を挟んで前記第１下部植毛面と逆側に形成されており、
前記第１断面は、さらに前記第１および第２側部植毛面のそれぞれと交差し、
(17)  前記第１断面および前記第１側部植毛面が交差することによって前記第１断面に表れる前記第１側部植毛面の形状が、第１側部断面線と、
(18)  前記第１断面および前記第２側部植毛面が交差することによって前記第１断面に表れる前記第２側部植毛面の形状が、第２側部断面線と、
(19)  前記第１基準断面線に対して前記第１側部断面線のなす角が、第１側部傾斜角と、
(20)  前記第１基準断面線に対して前記第２側部断面線のなす角が、第２側部傾斜角と、
(21)  前記第１側部断面線の中点と前記第１仮想基準線との間の距離が、第１側方距離と、
(22)  前記第２側部断面線の中点と前記第１仮想基準線との間の距離が、第２側方距離と、
さらに定義される場合、
(i) 前記第１および第２下部断面線、並びに前記第１および第２側部断面線の中点のそれぞれは、前記第１仮想基準線より下側に配置され、
(ii)  前記第１および第２下部傾斜角は、互いに異なる符号とされ、
(iii) 前記第１および第２側部傾斜角は、互いに異なる符号とされ、
(iv)  前記第１および第２下部傾斜角のそれぞれの絶対値は、同程度とされ、
(v) 前記第１および第２側部傾斜角のそれぞれの絶対値は、同程度とされ、
(vi)  前記第１および第２下方距離のそれぞれは、同程度とされ、
(vii) 前記第１および第２側方距離のそれぞれは、同程度とされ、
(viii)  前記第１および第２側方距離のそれぞれは、前記第１および第２下方距離のそれぞれより長くされ、かつ、
(ix)  前記第１および第２側部傾斜角のそれぞれの絶対値は、前記第１および第２下部傾斜角のそれぞれの絶対値より大きくされた上で、
(x) 前記基準植毛面のブラシ束を中心に各ブラシ束が末広がり状に植毛されつつ、前記基準植毛面、前記第１および第２下部植毛面、並びに前記第１および第２側部植毛面のそれぞれに植毛された各ブラシ束の先端位置が、前記仮想洗浄面の付近となるように、前記第１および第２下部傾斜角、並びに前記第１および第２側部傾斜角と、前記第１および第２下方距離、並びに前記第１および第２側方距離と、が設定され、
前記第１基準断面線と対応するブラシ束の先端位置との間の距離、
前記第１下部断面線の中点と対応するブラシ束の先端位置との間の距離、
前記第２下部断面線の中点と対応するブラシ束の先端位置との間の距離、
前記第１側部断面線の中点と対応するブラシ束の先端位置との間の距離、および、
前記第２側部断面線の中点と対応するブラシ束の先端位置との間の距離のそれぞれが、同様とされ、
前記基準植毛面、前記第１および第２下部植毛面、並びに前記第１および第２側部植毛面のそれぞれに対して、対応するブラシ束が垂直に植毛されていることを特徴とする洗浄用ブラシ。
【請求項４】
請求項１に記載の洗浄用ブラシにおいて、
(c) 各々が、前記植毛部の下側に形成されるとともに、前記一対の第１および第２下部植毛面を挟むように前記延伸方向に沿って延びる一対の第３および第４下部植毛面と、
(d) 各々が、前記植毛部の側面に形成されるとともに、前記一対の第３および第４下部植毛面を挟むように前記延伸方向に沿って延びる一対の第１および第２側部植毛面と、
をさらに備え、
前記第３下部植毛面および前記第１側部植毛面のそれぞれは、前記基準植毛面を挟んで前記第２下部植毛面と逆側に形成されるとともに、
前記第４下部植毛面および前記第２側部植毛面のそれぞれは、前記基準植毛面を挟んで前記第１下部植毛面と逆側に形成されており、
前記第１断面は、さらに前記第３および第４下部植毛面、並びに前記第１および第２側部植毛面のそれぞれと交差し、
(11)  前記第１断面および前記第３下部植毛面が交差することによって前記第１断面に表れる前記第３下部植毛面の形状が、第３下部断面線と、
(12)  前記第１断面および前記第４下部植毛面が交差することによって前記第１断面に表れる前記第４下部植毛面の形状が、第４下部断面線と、
(13)  前記第１基準断面線に対して前記第３下部断面線のなす角が、第３下部傾斜角と、
(14)  前記第１基準断面線に対して前記第４下部断面線のなす角が、第４下部傾斜角と、
(15)  前記第３下部断面線の中点と前記第１仮想基準線との間の距離が、第３下方距離と、
(16)  前記第４下部断面線の中点と前記第１仮想基準線との間の距離が、第４下方距離と、
(17)  前記第１断面および前記第１側部植毛面が交差することによって前記第１断面に表れる前記第１側部植毛面の形状が、第１側部断面線と、
(18)  前記第１断面および前記第２側部植毛面が交差することによって前記第１断面に表れる前記第２側部植毛面の形状が、第２側部断面線と、
(19)  前記第１基準断面線に対して前記第１側部断面線のなす角が、第１側部傾斜角と、
(20)  前記第１基準断面線に対して前記第２側部断面線のなす角が、第２側部傾斜角と、
(21)  前記第１側部断面線の中点と前記第１仮想基準線との間の距離が、第１側方距離と、
(22)  前記第２側部断面線の中点と前記第１仮想基準線との間の距離が、第２側方距離と、
さらに定義される場合、
(i) 前記第１から第４下部断面線、並びに前記第１および第２側部断面線の中点のそれぞれは、前記第１仮想基準線より下側に配置され、
(ii)  前記第１および第２下部傾斜角は、互いに異なる符号とされ、
(iii) 前記第３および第４下部傾斜角は、互いに異なる符号とされ、
(iv)  前記第１および第２側部傾斜角は、互いに異なる符号とされ、
(v) 前記第１および第２下部傾斜角のそれぞれの絶対値は、同程度とされ、
(vi)  前記第３および第４下部傾斜角のそれぞれの絶対値は、同程度とされ、
(vii) 前記第１および第２側部傾斜角のそれぞれの絶対値は、同程度とされ、
(viii)  前記第１および第２下方距離のそれぞれは、同程度とされ、
(ix)  前記第３および第４下方距離のそれぞれは、同程度とされ、
(x) 前記第１および第２側方距離のそれぞれは、同程度とされ、
(xi)  前記第３および第４下方距離のそれぞれは、前記第１および第２下方距離のそれぞれより長くされ、
(xii) 前記第１および第２側方距離のそれぞれは、前記第３および第４下方距離のそれぞれより長くされ、
(xiii)  前記第３および第４下部傾斜角のそれぞれの絶対値は、前記第１および第２下部傾斜角のそれぞれの絶対値より大きくされ、かつ、
(xiv) 前記第１および第２側部傾斜角のそれぞれの絶対値は、前記第３および第４下部傾斜角のそれぞれの絶対値より大きくされた上で、
(xv)  前記基準植毛面のブラシ束を中心に各ブラシ束が末広がり状に植毛されつつ、前記基準植毛面、前記第１から第４下部植毛面、並びに前記第１および第２側部植毛面のそれぞれに植毛された各ブラシ束の先端位置が、前記仮想洗浄面の付近となるように、前記第１から第４下部傾斜角、並びに前記第１および第２側部傾斜角と、前記第１から第４下方距離、並びに前記第１および第２側方距離と、が設定され、
前記第１基準断面線と対応するブラシ束の先端位置との間の距離、
前記第１下部断面線の中点と対応するブラシ束の先端位置との間の距離、
前記第２下部断面線の中点と対応するブラシ束の先端位置との間の距離、
前記第３下部断面線の中点と対応するブラシ束の先端位置との間の距離、
前記第４下部断面線の中点と対応するブラシ束の先端位置との間の距離、
前記第１側部断面線の中点と対応するブラシ束の先端位置との間の距離、および、
前記第２側部断面線の中点と対応するブラシ束の先端位置との間の距離のそれぞれが、同様とされ、
前記基準植毛面、前記第１から第４下部植毛面、並びに前記第１および第２側部植毛面のそれぞれに対して、対応するブラシ束が垂直に植毛されていることを特徴とする洗浄用ブラシ。
【請求項５】
請求項１から請求項４のいずれかに記載の洗浄用ブラシにおいて、
(e) 前記植毛部の下側に形成されており、前記第１および第２下部植毛面を接続する接続植毛面、
をさらに備え、
前記接続植毛面は、
(e-1) 前記第１下部植毛面と連結された第１連結面と、
(e-2) 前記第１連結面と連結されており、前記延伸方向と異なった第１進行方向に沿って延びる第１延長面と、
(e-3) 前記第２下部植毛面と連結された第２連結面と、
(e-4) 前記第２連結面と連結されており、前記延伸方向と異なった第２進行方向に沿って延びる第２延長面と、
(e-5) 前記第１および第２延長面のそれぞれと連結された第３連結面と、
を有し、
(23)  前記基準植毛面または前記基準植毛面を前記延伸方向に延長させた平面が、仮想基準面と、
(24)  前記第１進行方向と垂直であって、前記基準植毛面および前記第１延長面のそれぞれと交差する断面が、第２断面と、
(25)  前記第２進行方向と垂直であって、前記基準植毛面および前記第２延長面のそれぞれと交差する断面が、第３断面と、
(26)  前記第２断面および前記仮想基準面が交差することによって前記第２断面に表れる前記仮想基準面の形状が、第２基準断面線と、
(27)  前記第３断面および前記仮想基準面が交差することによって前記第３断面に表れる前記仮想基準面の形状が、第３基準断面線と、
(28)  前記第２基準断面線を含む仮想的な直線が、第２仮想基準線と、
(29)  前記第３基準断面線を含む仮想的な直線が、第３仮想基準線と、
(30)  前記第２断面および前記第１延長面が交差することによって前記第２断面に表れる前記第１延長面の形状が、第１接合断面線と、
(31)  前記第３断面および前記第２延長面が交差することによって前記第３断面に表れる前記第２延長面の形状が、第２接合断面線と、
(32)  前記第２基準断面線に対して前記第１接合断面線のなす角が、第１接合傾斜角と、
(33)  前記第３基準断面線に対して前記第２接合断面線のなす角が、第２接合傾斜角と、
(34)  前記第１接合断面線の中点と前記第２仮想基準線との間の距離が、第１接続距離と、
(35)  前記第２接合断面線の中点と前記第３仮想基準線との間の距離が、第２接続距離と、
さらに定義される場合、
(i) 前記第１および第２下部断面線の中点のそれぞれは、前記第１仮想基準線より下側に配置され、
(ii)  前記第１接合断面線の中点は、前記第２仮想基準線より下側に配置され、
(iii) 前記第２接合断面線の中点は、前記第３仮想基準線より下側に配置され、
(iv)  前記第１および第２下部傾斜角は、互いに異なる符号とされ、
(v) 前記第１および第２接合傾斜角は、互いに異なる符号とされ、
(vi)  前記第１下部傾斜角および第１接合傾斜角は、同一符号とされ、
(vii)  前記第２下部傾斜角および第２接合傾斜角は、同一符号とされ、
(viii)  前記第１および第２下方距離、並びに前記第１および第２接続距離のそれぞれは、同程度とされ、
(ix)  前記第１および第２下部傾斜角、並びに前記第１および第２接合傾斜角のそれぞれの絶対値は、同程度とされ、
(x) 前記基準植毛面のブラシ束を中心に各ブラシ束が末広がり状に植毛されつつ、前記基準植毛面、前記第１および第２下部植毛面、並びに前記第１および第２延長面のそれぞれに植毛された各ブラシ束の先端位置が、前記仮想洗浄面の付近となるように、前記第１および第２下部傾斜角、並びに前記第１および第２接合傾斜角と、前記第１および第２下方距離、並びに前記第１および第２接続距離と、が設定され、
前記第１基準断面線と対応するブラシ束の先端位置との間の距離、
前記第１下部断面線の中点と対応するブラシ束の先端位置との間の距離、
前記第２下部断面線の中点と対応するブラシ束の先端位置との間の距離、
前記第２または第３基準断面線と対応するブラシ束の先端位置との間の距離、
前記第１接合断面線の中点と対応するブラシ束の先端位置との間の距離、および、
前記第２接合断面線の中点と対応するブラシ束の先端位置との間の距離のそれぞれが、同様とされ、
前記基準植毛面、前記第１および第２下部植毛面、並びに前記第１および第２延長面のそれぞれに対して、対応するブラシ束が垂直に植毛されていることを特徴とする洗浄用ブラシ。
【手続補正２】
【補正対象書類名】明細書
【補正対象項目名】０００６
【補正方法】変更
【補正の内容】
【０００６】
上記の課題を解決するため、請求項１の発明は、複数のブラシ束が植毛部に植毛された洗浄用ブラシであって、前記植毛部の下側に形成されており、一方向に延伸する基準植毛面と、各々が、前記植毛部の下側に形成されるとともに、前記基準植毛面を挟むように前記基準植毛面の延伸方向に沿って延びる一対の第１および第２下部植毛面とを備え、各ブラシ束は、同種のブラシ毛を複数束ねたものであり、各ブラシ束の長さは、同程度とされており、前記延伸方向と垂直であって、前記基準植毛面、並びに第１および第２下部植毛面のそれぞれと交差する断面が、第１断面と、前記第１断面および前記基準植毛面が交差することによって前記第１断面に表れる前記基準植毛面の形状が、第１基準断面線と、前記第１基準断面線を含む仮想的な直線が、第１仮想基準線と、前記第１断面および前記第１下部植毛面が交差することによって前記第１断面に表れる前記第１下部植毛面の形状が、第１下部断面線と、前記第１断面および前記第２下部植毛面が交差することによって前記第１断面に表れる前記第２下部植毛面の形状が、第２下部断面線と、前記第１基準断面線に対して前記第１下部断面線のなす角が、第１下部傾斜角と、前記第１基準断面線に対して前記第２下部断面線のなす角が、第２下部傾斜角と、前記第１下部断面線の中点と前記第１仮想基準線との間の距離が、第１下方距離と、前記第２下部断面線の中点と前記第１仮想基準線との間の距離が、第２下方距離と、前記基準植毛面と平行であって、前記基準植毛面から下方に離隔して配置された仮想的な平面が、仮想洗浄面と、それぞれ定義される場合、前記第１および第２下部断面線の中点のそれぞれは、前記第１仮想基準線より下側に配置され、前記第１および第２下部傾斜角は、互いに異なる符号とされ、前記第１および第２下部傾斜角のそれぞれの絶対値は、同程度とされ、かつ、前記第１および第２下方距離のそれぞれは、同程度とされた上で、前記基準植毛面のブラシ束を中心に各ブラシ束が末広がり状に植毛されつつ、前記基準植毛面、並びに前記第１および第２下部植毛面のそれぞれに植毛された各ブラシ束の先端位置が、前記仮想洗浄面の付近となるように、前記第１および第２下部傾斜角と、前記第１および第２下方距離と、が設定され、前記第１基準断面線と対応するブラシ束の先端位置との間の距離、前記第１下部断面線の中点と対応するブラシ束の先端位置との間の距離、および、前記第２下部断面線の中点と対応するブラシ束の先端位置との間の距離のそれぞれが、同様とされ、前記基準植毛面、並びに前記第１および第２下部植毛面のそれぞれに対して、対応するブラシ束が垂直に植毛されていることを特徴とする。
【手続補正３】
【補正対象書類名】明細書
【補正対象項目名】０００７
【補正方法】変更
【補正の内容】
【０００７】
また、請求項２の発明は、請求項１に記載の洗浄用ブラシにおいて、各々が、前記植毛部の下側に形成されるとともに、前記一対の第１および第２下部植毛面を挟むように前記延伸方向に沿って延びる一対の第３および第４下部植毛面、をさらに備え、前記第３下部植毛面は、前記基準植毛面を挟んで前記第２下部植毛面と逆側に形成されるとともに、前記第４下部植毛面は、前記基準植毛面を挟んで前記第１下部植毛面と逆側に形成されており、前記第１断面は、さらに前記第３および第４下部植毛面のそれぞれと交差し、前記第１断面および前記第３下部植毛面が交差することによって前記第１断面に表れる前記第３下部植毛面の形状が、第３下部断面線と、前記第１断面および前記第４下部植毛面が交差することによって前記第１断面に表れる前記第４下部植毛面の形状が、第４下部断面線と、前記第１基準断面線に対して前記第３下部断面線のなす角が、第３下部傾斜角と、前記第１基準断面線に対して前記第４下部断面線のなす角が、第４下部傾斜角と、前記第３下部断面線の中点と前記第１仮想基準線との間の距離が、第３下方距離と、前記第４下部断面線の中点と前記第１仮想基準線との間の距離が、第４下方距離と、さらに定義される場合、前記第１から第４下部断面線の中点のそれぞれは、前記第１仮想基準線より下側に配置され、前記第１および第２下部傾斜角は、互いに異なる符号とされ、前記第３および第４下部傾斜角は、互いに異なる符号とされ、前記第１および第２下部傾斜角のそれぞれの絶対値は、同程度とされ、前記第３および第４下部傾斜角のそれぞれの絶対値は、同程度とされ、前記第１および第２下方距離のそれぞれは、同程度とされ、前記第３および第４下方距離のそれぞれは、同程度とされ、前記第３および第４下方距離のそれぞれは、前記第１および第２下方距離のそれぞれより長くされ、かつ、前記第３および第４下部傾斜角のそれぞれの絶対値は、前記第１および第２下部傾斜角のそれぞれの絶対値より大きくされた上で、前記基準植毛面のブラシ束を中心に各ブラシ束が末広がり状に植毛されつつ、前記基準植毛面、並びに前記第１から第４下部植毛面のそれぞれに植毛された各ブラシ束の先端位置が、前記仮想洗浄面の付近となるように、前記第１から第４下部傾斜角と、前記第１から第４下方距離と、が設定され、前記第１基準断面線と対応するブラシ束の先端位置との間の距離、前記第１下部断面線の中点と対応するブラシ束の先端位置との間の距離、前記第２下部断面線の中点と対応するブラシ束の先端位置との間の距離、前記第３下部断面線の中点と対応するブラシ束の先端位置との間の距離、および、前記第４下部断面線の中点と対応するブラシ束の先端位置との間の距離のそれぞれが、同様とされ、前記基準植毛面、および前記第１から第４下部植毛面のそれぞれに対して、対応するブラシ束が垂直に植毛されていることを特徴とする。
【手続補正４】
【補正対象書類名】明細書
【補正対象項目名】０００８
【補正方法】変更
【補正の内容】
【０００８】
また、請求項３の発明は、請求項１に記載の洗浄用ブラシにおいて、各々が、前記植毛部の側面に形成されるとともに、前記一対の第１および第２下部植毛面を挟むように前記延伸方向に沿って延びる一対の第１および第２側部植毛面、をさらに備え、前記第１側部植毛面は、前記基準植毛面を挟んで前記第２下部植毛面と逆側に形成されるとともに、前記第２側部植毛面は、前記基準植毛面を挟んで前記第１下部植毛面と逆側に形成されており、前記第１断面は、さらに前記第１および第２側部植毛面のそれぞれと交差し、前記第１断面および前記第１側部植毛面が交差することによって前記第１断面に表れる前記第１側部植毛面の形状が、第１側部断面線と、前記第１断面および前記第２側部植毛面が交差することによって前記第１断面に表れる前記第２側部植毛面の形状が、第２側部断面線と、前記第１基準断面線に対して前記第１側部断面線のなす角が、第１側部傾斜角と、前記第１基準断面線に対して前記第２側部断面線のなす角が、第２側部傾斜角と、前記第１側部断面線の中点と前記第１仮想基準線との間の距離が、第１側方距離と、前記第２側部断面線の中点と前記第１仮想基準線との間の距離が、第２側方距離と、さらに定義される場合、前記第１および第２下部断面線、並びに前記第１および第２側部断面線の中点のそれぞれは、前記第１仮想基準線より下側に配置され、前記第１および第２下部傾斜角は、互いに異なる符号とされ、前記第１および第２側部傾斜角は、互いに異なる符号とされ、前記第１および第２下部傾斜角のそれぞれの絶対値は、同程度とされ、前記第１および第２側部傾斜角のそれぞれの絶対値は、同程度とされ、前記第１および第２下方距離のそれぞれは、同程度とされ、前記第１および第２側方距離のそれぞれは、同程度とされ、前記第１および第２側方距離のそれぞれは、前記第１および第２下方距離のそれぞれより長くされ、かつ、前記第１および第２側部傾斜角のそれぞれの絶対値は、前記第１および第２下部傾斜角のそれぞれの絶対値より大きくされた上で、前記基準植毛面のブラシ束を中心に各ブラシ束が末広がり状に植毛されつつ、前記基準植毛面、前記第１および第２下部植毛面、並びに前記第１および第２側部植毛面のそれぞれに植毛された各ブラシ束の先端位置が、前記仮想洗浄面の付近となるように、前記第１および第２下部傾斜角、並びに前記第１および第２側部傾斜角と、前記第１および第２下方距離、並びに前記第１および第２側方距離と、が設定され、前記第１基準断面線と対応するブラシ束の先端位置との間の距離、前記第１下部断面線の中点と対応するブラシ束の先端位置との間の距離、前記第２下部断面線の中点と対応するブラシ束の先端位置との間の距離、前記第１側部断面線の中点と対応するブラシ束の先端位置との間の距離、および、前記第２側部断面線の中点と対応するブラシ束の先端位置との間の距離のそれぞれが、同様とされ、前記基準植毛面、前記第１および第２下部植毛面、並びに前記第１および第２側部植毛面のそれぞれに対して、対応するブラシ束が垂直に植毛されていることを特徴とする。
【手続補正５】
【補正対象書類名】明細書
【補正対象項目名】０００９
【補正方法】変更
【補正の内容】
【０００９】
また、請求項４の発明は、請求項１に記載の洗浄用ブラシにおいて、各々が、前記植毛部の下側に形成されるとともに、前記一対の第１および第２下部植毛面を挟むように前記延伸方向に沿って延びる一対の第３および第４下部植毛面と、各々が、前記植毛部の側面に形成されるとともに、前記一対の第３および第４下部植毛面を挟むように前記延伸方向に沿って延びる一対の第１および第２側部植毛面とをさらに備え、前記第３下部植毛面および前記第１側部植毛面のそれぞれは、前記基準植毛面を挟んで前記第２下部植毛面と逆側に形成されるとともに、前記第４下部植毛面および前記第２側部植毛面のそれぞれは、前記基準植毛面を挟んで前記第１下部植毛面と逆側に形成されており、前記第１断面は、さらに前記第３および第４下部植毛面、並びに前記第１および第２側部植毛面のそれぞれと交差し、前記第１断面および前記第３下部植毛面が交差することによって前記第１断面に表れる前記第３下部植毛面の形状が、第３下部断面線と、前記第１断面および前記第４下部植毛面が交差することによって前記第１断面に表れる前記第４下部植毛面の形状が、第４下部断面線と、前記第１基準断面線に対して前記第３下部断面線のなす角が、第３下部傾斜角と、前記第１基準断面線に対して前記第４下部断面線のなす角が、第４下部傾斜角と、前記第３下部断面線の中点と前記第１仮想基準線との間の距離が、第３下方距離と、前記第４下部断面線の中点と前記第１仮想基準線との間の距離が、第４下方距離と、前記第１断面および前記第１側部植毛面が交差することによって前記第１断面に表れる前記第１側部植毛面の形状が、第１側部断面線と、前記第１断面および前記第２側部植毛面が交差することによって前記第１断面に表れる前記第２側部植毛面の形状が、第２側部断面線と、前記第１基準断面線に対して前記第１側部断面線のなす角が、第１側部傾斜角と、前記第１基準断面線に対して前記第２側部断面線のなす角が、第２側部傾斜角と、前記第１側部断面線の中点と前記第１仮想基準線との間の距離が、第１側方距離と、前記第２側部断面線の中点と前記第１仮想基準線との間の距離が、第２側方距離と、前記第１から第４下部断面線、並びに前記第１および第２側部断面線の中点のそれぞれは、前記第１仮想基準線より下側に配置され、前記第１および第２下部傾斜角は、互いに異なる符号とされ、前記第３および第４下部傾斜角は、互いに異なる符号とされ、前記第１および第２側部傾斜角は、互いに異なる符号とされ、前記第１および第２下部傾斜角のそれぞれの絶対値は、同程度とされ、前記第３および第４下部傾斜角のそれぞれの絶対値は、同程度とされ、前記第１および第２側部傾斜角のそれぞれの絶対値は、同程度とされ、前記第１および第２下方距離のそれぞれは、同程度とされ、前記第３および第４下方距離のそれぞれは、同程度とされ、前記第１および第２側方距離のそれぞれは、同程度とされ、前記第３および第４下方距離のそれぞれは、前記第１および第２下方距離のそれぞれより長くされ、前記第１および第２側方距離のそれぞれは、前記第３および第４下方距離のそれぞれより長くされ、前記第３および第４下部傾斜角のそれぞれの絶対値は、前記第１および第２下部傾斜角のそれぞれの絶対値より大きくされ、かつ、前記第１および第２側部傾斜角のそれぞれの絶対値は、前記第３および第４下部傾斜角のそれぞれの絶対値より大きくされた上で、前記基準植毛面のブラシ束を中心に各ブラシ束が末広がり状に植毛されつつ、前記基準植毛面、前記第１から第４下部植毛面、並びに前記第１および第２側部植毛面のそれぞれに植毛された各ブラシ束の先端位置が、前記仮想洗浄面の付近となるように、前記第１から第４下部傾斜角、並びに前記第１および第２側部傾斜角と、前記第１から第４下方距離、並びに前記第１および第２側方距離と、が設定され、前記第１基準断面線と対応するブラシ束の先端位置との間の距離、前記第１下部断面線の中点と対応するブラシ束の先端位置との間の距離、前記第２下部断面線の中点と対応するブラシ束の先端位置との間の距離、前記第３下部断面線の中点と対応するブラシ束の先端位置との間の距離、前記第４下部断面線の中点と対応するブラシ束の先端位置との間の距離、前記第１側部断面線の中点と対応するブラシ束の先端位置との間の距離、および、前記第２側部断面線の中点と対応するブラシ束の先端位置との間の距離のそれぞれが、同様とされ、前記基準植毛面、前記第１から第４下部植毛面、並びに前記第１および第２側部植毛面のそれぞれに対して、対応するブラシ束が垂直に植毛されていることを特徴とする。
【手続補正６】
【補正対象書類名】明細書
【補正対象項目名】００１０
【補正方法】変更
【補正の内容】
【００１０】
また、請求項５の発明は、請求項１から請求項４のいずれかに記載の洗浄用ブラシにおいて、前記植毛部の下側に形成されており、前記第１および第２下部植毛面を接続する接続植毛面、をさらに備え、前記接続植毛面は、前記第１下部植毛面と連結された第１連結面と、前記第１連結面と連結されており、前記延伸方向と異なった第１進行方向に沿って延びる第１延長面と、前記第２下部植毛面と連結された第２連結面と、前記第２連結面と連結されており、前記延伸方向と異なった第２進行方向に沿って延びる第２延長面と、前記第１および第２延長面のそれぞれと連結された第３連結面とを有し、前記基準植毛面または前記基準植毛面を前記延伸方向に延長させた平面が、仮想基準面と、前記第１進行方向と垂直であって、前記基準植毛面および前記第１延長面のそれぞれと交差する断面が、第２断面と、前記第２進行方向と垂直であって、前記基準植毛面および前記第２延長面のそれぞれと交差する断面が、第３断面と、前記第２断面および前記仮想基準面が交差することによって前記第２断面に表れる前記仮想基準面の形状が、第２基準断面線と、前記第３断面および前記仮想基準面が交差することによって前記第３断面に表れる前記仮想基準面の形状が、第３基準断面線と、前記第２基準断面線を含む仮想的な直線が、第２仮想基準線と、前記第３基準断面線を含む仮想的な直線が、第３仮想基準線と、前記第２断面および前記第１延長面が交差することによって前記第２断面に表れる前記第１延長面の形状が、第１接合断面線と、前記第３断面および前記第２延長面が交差することによって前記第３断面に表れる前記第２延長面の形状が、第２接合断面線と、前記第２基準断面線に対して前記第１接合断面線のなす角が、第１接合傾斜角と、前記第３基準断面線に対して前記第２接合断面線のなす角が、第２接合傾斜角と、前記第１接合断面線の中点と前記第２仮想基準線との間の距離が、第１接続距離と、前記第２接合断面線の中点と前記第３仮想基準線との間の距離が、第２接続距離と、さらに定義される場合、前記第１および第２下部断面線の中点のそれぞれは、前記第１仮想基準線より下側に配置され、前記第１接合断面線の中点は、前記第２仮想基準線より下側に配置され、前記第２接合断面線の中点は、前記第３仮想基準線より下側に配置され、前記第１および第２下部傾斜角は、互いに異なる符号とされ、前記第１および第２接合傾斜角は、互いに異なる符号とされ、前記第１下部傾斜角および第１接合傾斜角は、同一符号とされ、前記第２下部傾斜角および第２接合傾斜角は、同一符号とされ、前記第１および第２下方距離、並びに前記第１および第２接続距離のそれぞれは、同程度とされ、前記第１および第２下部傾斜角、並びに前記第１および第２接合傾斜角のそれぞれの絶対値は、同程度とされ、前記基準植毛面のブラシ束を中心に各ブラシ束が末広がり状に植毛されつつ、前記基準植毛面、前記第１および第２下部植毛面、並びに前記第１および第２延長面のそれぞれに植毛された各ブラシ束の先端位置が、前記仮想洗浄面の付近となるように、前記第１および第２下部傾斜角、並びに前記第１および第２接合傾斜角と、前記第１および第２下方距離、並びに前記第１および第２接続距離と、が設定され、前記第１基準断面線と対応するブラシ束の先端位置との間の距離、前記第１下部断面線の中点と対応するブラシ束の先端位置との間の距離、前記第２下部断面線の中点と対応するブラシ束の先端位置との間の距離、前記第２または第３基準断面線と対応するブラシ束の先端位置との間の距離、前記第１接合断面線の中点と対応するブラシ束の先端位置との間の距離、および、前記第２接合断面線の中点と対応するブラシ束の先端位置との間の距離のそれぞれが、同様とされ、前記基準植毛面、前記第１および第２下部植毛面、並びに前記第１および第２延長面のそれぞれに対して、対応するブラシ束が垂直に植毛されていることを特徴とする。